(57)【要約】      （修正有）【課題】折り曲げて束ねた状態に維持したとしても、束ねた状態を解いた給電用ケーブルに折り曲げ跡が残らないようにする電源コード、並びにこれを用いたテーブルタップ及び延長コードを提供する。【解決手段】電源コードが備える給電用ケーブル１０１は、直径０．０６ｍｍ〜０．１４ｍｍの素線１２４を撚って形成されている。つまり複数本の素線１２４を撚って撚り線１２５とし、この撚り線１２５を複数組さらに撚って芯線１２２を製造する。こうして製造された芯線１２２に絶縁体１２３を被覆して電線１２１とし、この電線１２１を少なくとも二本以上まとめて絶縁性を有する外装カバー１１１で被覆することで、給電用ケーブル１０１が完成する。望ましい一例としては、直径０．１２ｍｍの導体を素線１２４として用い、これを２３本撚って撚り線１２５とし、さらにこの撚り線１２５を７組撚って芯線１２２を製造する。【選択図】図１
0003201968.tif 000002
【実用新案登録請求の範囲】
【請求項１】
給電用ケーブルの一端側に給電用のプラグを接続した電源コードであって、
前記給電用ケーブルが内蔵する電線として、直径０．０６ｍｍ〜０．１４ｍｍの導体である素線Ｘ本からなる撚り線のＹ組の撚りからなる芯線を絶縁体で被覆したものを用いた、
ことを特徴とする電源コード。
【請求項２】
直径０．０６ｍｍ〜０．１４ｍｍの導体である素線Ｘ本からなる撚り線のＹ組の撚りからなる芯線を絶縁体で被覆した少なくとも二本の電線を、絶縁性を有する外装カバーでまとめて被覆した給電用ケーブルと、
前記給電用ケーブルの一端側に取り付けられて前記電線に導通接続する給電用のプラグと、
を備えることを特徴とする電源コード。
【請求項３】
前記素線の直径は０．１２ｍｍであり、
前記素線の本数Ｘ本は２３本であり、
前記撚り素線の組数Ｙ組は７組である、
ことを特徴とする請求項１又は２に記載の電源コード。
【請求項４】
請求項１ないし３のいずれか一に記載の電源コードと、
前記電源コードの前記プラグと反対側の一端側に取り付けられ、前記電線に導通接続する複数個の差込口を有するコンセントと、
を備えることを特徴とするテーブルタップ。
【請求項５】
請求項１ないし３のいずれか一に記載の電源コードと、
前記電源コードの前記プラグと反対側の一端側に取り付けられ、前記電線に導通接続する単一の差込口を有するコンセントと、
を備えることを特徴とする延長コード。
【考案の詳細な説明】
【技術分野】
【０００１】
本発明は、各種の電気電子機器に用いられる電源コード、並びにこれを用いたテーブルタップ及び延長コードに関する。
【背景技術】
【０００２】
可動しない二箇所の接続点を給電用ケーブルによって導通接続する電源コードは、複数本の素線を撚り合せた導体を芯線とし、この芯線に絶縁体を被覆して形成されている（例えば特許文献１の段落００１２、図１（Ａ）（Ｂ）参照）。
このような電源コードに用いられる給電用ケーブルは、被覆された芯線を少なくとも二本以上備え、これらの被覆された芯線をさらに被覆している（特許文献２の段落００１５、図１参照）。
この種の電源コードは、代表的には照明器具や家電製品などの各種の電気電子機器に用いられたり、テーブルタップや延長コードとして用いられたりする。
【先行技術文献】
【特許文献】
【０００３】
【特許文献１】特開２０１４−１３９９３２号公報
【特許文献２】特開２００２−１８４５４１号公報
【特許文献３】特開２０００−１８８１５８号公報
【考案の概要】
【考案が解決しようとする課題】
【０００４】
給電用ケーブルは、リールなどに巻かれた状態で流通し、そのまま設置されて単位売りの形態で販売されることもあるが、各種の電気電子機器と共にその電源コードとしてパッケージングされたり、テーブルタップや延長コードとしてパッケージングされたりする場合には、何重にも折り曲げられた状態で束ねられるのが一般的である（特許文献３の図２（ａ）（ｂ）参照）。
このため束ねているバンドを解いて給電用ケーブルを使用しようとすると、どうしても折り曲げ跡が残ってしまい、真っ直ぐにならないという問題がある。このような折り曲げ跡は、給電用ケーブルの仕様によってはなくなることがないし、時間の経過と共に自然になくなる場合であっても、それまでには長い時間を要するのが一般的である。
したがって給電用ケーブルの使用者は、美観が損なわれた状態を長い間甘受しなければならず、個人差があるとはいえ、人によっては不愉快な思いを我慢し続けなければならない。
また給電用ケーブルを床に這わせて使用する場合には、折り曲げ跡が床から浮き上がるために足を引っ掛けやすく、思わぬ事故を引き起こす原因にもなる。
【０００５】
本考案はこのような点に鑑みなされたもので、折り曲げて束ねた状態に維持したとしても、束ねた状態を解いたときに折り曲げ跡が残らない給電用ケーブルを備える電源コード、並びにこれを用いたテーブルタップ及び延長コードを得ることを目的とする。
【課題を解決するための手段】
【０００６】
本考案は、給電用ケーブルの一端側に給電用のプラグを接続した電源コードであって、前記給電用ケーブルが内蔵する電線として、直径０．０６ｍｍ〜０．１４ｍｍの導体である素線Ｘ本からなる撚り線のＹ組の撚りからなる芯線を絶縁体で被覆したものを用いることによって上記課題を解決する。
【０００７】
本考案の電源コードは、直径０．０６ｍｍ〜０．１４ｍｍの導体である素線Ｘ本からなる撚り線のＹ組の撚りからなる芯線を絶縁体で被覆した少なくとも二本の電線を、絶縁性を有する外装カバーでまとめて被覆した給電用ケーブルと、前記給電用ケーブルの一端側に取り付けられて前記電線に導通接続する給電用のプラグと、を備えることによって上記課題を解決する。
【考案の効果】
【０００８】
本考案によれば、素線の直径を０．０６ｍｍ〜０．１４ｍｍとすることで、折り曲げて束ねた状態に維持したとしても、束ねた状態を解いた給電用ケーブルに折り曲げ跡が残らないようにすることができる。
【図面の簡単な説明】
【０００９】
【図１】第１の実施の形態の給電用ケーブルを示す斜視図。
【図２】第１の実施の形態のテーブルタップを示す平面図。
【図３】給電用ケーブルを折り畳んだ状態のテーブルタップを示す平面図。
【図４】第２の実施の形態のテーブルタップを示す平面図。
【図５】給電用ケーブルを折り畳んだ状態のテーブルタップを示す平面図。
【考案を実施するための形態】
【００１０】
第１の実施の形態を図１ないし図３に基づいて説明する。
本実施の形態は、電源コード１１及びこれを用いたテーブルタップ２０１である。
図１に示すように、電源コード１１（図２及び図３参照）の給電用ケーブル１０１は、絶縁性を有する外装カバー１１１で二本の電線１２１を被覆して形成されている。
【００１１】
電線１２１は、芯線１２２を絶縁体１２３で被覆して形成されている。
芯線１２２は、複数本（Ｘ本）の素線１２４を撚って撚り線１２５とし、この撚り線１２５を複数組（Ｙ組）用意し、これらの撚り線１２５をさらに撚ることで形成されている。
素線１２４の材料は銅や軟銅などの導体であり、したがって芯線１２２も導体からなっている。
このような素線１２４としては、直径０．０６ｍｍ〜０．１４ｍｍ、望ましくは０．１２ｍｍのものが用いられている。素線１２４を撚る本数Ｘ本、この素線１２４から生成した撚り線１２５を撚る組数Ｙ組は、撚り線１２５及び芯線１２２の真円度を出すという観点から適宜決定される。
一例として、素線１２４の直径を０．１２ｍｍとした場合、２３本の素線１２４を撚って撚り線１２５とし、この撚り線１２５を７組撚って芯線１２２とすることで、撚り線１２５においても芯線１２２においても良好な真円度を得ることができる。
【００１２】
絶縁体１２３は、絶縁性を有する樹脂からなり、溶融した樹脂材料を芯線１２２と共に押し出すことによって芯線１２２を被覆する形態となる。芯線１２２と共に押し出された樹脂材料は高温であるので、これを水中に浸けて冷やすことで固化させる。固化した樹脂材料は芯線１２２を被覆する絶縁体１２３となる。
【００１３】
こうして製造された給電用ケーブル１０１は、照明器具や家電製品などの各種の電気電子機器用、テーブルタップ、延長コードなど、様々な用途に使用することができる。本実施の形態では、給電用ケーブル１０１をテーブルタップ２０１に用いている。
【００１４】
図２に示すように、テーブルタップ２０１は、給電用ケーブル１０１の一端側にコンセント２１１を取り付け、給電用ケーブル１０１の別の一端側にプラグ２２１を取り付けることによって形成されている。
このようなテーブルタップ２０１のうち、給電用ケーブル１０１にプラグ２２１を取り付けた部分は、電源コード１１である。
【００１５】
コンセント２１１は、絶縁性部材によって形成されたハウジング２１２に、三つの差込口２１３を設けている。ハウジング２１２の上面に二つ（図２に図示）、ハウジング２１２の端面２１２ａに一つである。これらの差込口２１３は、図示しない電気電子機器のプラグ（プラグ２２１に相当する）を差し込むための口であり、コンセント２１１は差込口２１３の奥に一対の接続板２１４を設けている。
これらの接続板２１４は、給電用ケーブル１０１の二本の電線１２１にそれぞれ導通接続されており、また差込口２１３に差し込まれた図示しない電気電子機器のプラグに設けられた一対の接続片（プラグ２２１が有する一対の接続片２２２に相当する）を挟持し、この状態で接続片と導通接続する。
【００１６】
プラグ２２１は、絶縁性部材によって形成されたハウジング２２３に、前述したとおり、一対の接続片２２２を備えている。これらの接続片２２２は、ハウジング２２３の内部で、給電用ケーブル１０１の二本の電線１２１にそれぞれ導通接続されている。
プラグ２２１が備える接続片２２２は、給電側、例えば室内の壁面などに設置された図示しないコンセント（コンセント２１１に相当する）に差し込まれて使用される。
【００１７】
図３に示すように、テーブルタップ２０１は、その流通及び販売時において、給電用ケーブル１０１が何重にも折り曲げられ、バンド３０１で束ねられた状態に維持される。
例えばテーブルタップ２０１をパッケージングするに際しては、バンド３０１で束ねた給電用ケーブル１０１をコンセント２１１の側方に並べ、この状態でパッケージ（図示せず）に収納する。
【００１８】
このような構成において、本実施の形態のテーブルタップ２０１によれば、図３に示すように、給電用ケーブル１０１を折り曲げてバンド３０１で束ねた状態に維持したとしても、バンド３０１を解いたときに、給電用ケーブル１０１に折り曲げ跡を残らないようにすることができる。
その理由を述べる。
【００１９】
まず本出願の考案者は、折り曲げて束ねた状態に維持したとしても、束ねた状態を解いたときに折り曲げ跡が残らない給電用ケーブルの開発に取り組むに際して、従来の給電用ケーブルでは何ゆえ折り曲げ跡が残ってしまうのかの原因を模索した。
この場合に考えられる要因としては、給電用ケーブル１０１を例に挙げて説明するならば、電線１２１の材質や太さ、絶縁体１２３の材質や厚み、外装カバー１１１の材質や厚みなど、様々な要因が考えられる。
電線１２１を構成する芯線１２２の組数Ｙ、芯線１２２を構成する素線１２４の本数Ｘや太さなども、給電用ケーブル１０１に曲げ跡が残る要因の一つとして考えることが可能である。
これに対して、本出願の考案者は、折り曲げた状態で束ねていた給電用ケーブル１０１に折り曲げ跡が残る最も重大な要因は、電線１２１の構成要素である素線１２４の直径にあることを突き止めた。
つまり従来の給電用ケーブルは直径０．１８ｍｍ以上の素線を用いて電線としているわけであるが（例えば特許文献１の段落００１３、表２参照）、束ねた状態を解いた給電用ケーブルに折り曲げ跡が残るという現象の発生には、このような素線の線径が最も大きく影響していることを突き止めたわけである。
そこで本出願の考案者は、各種の直径を有する素線１２４を撚って電線１２１を形成し、給電用ケーブルに残る折り曲げ跡を検証した結果、直径０．１４ｍｍ以下の素線１２４を用いた場合に、折り曲げ跡が残りにくい給電用ケーブル１０１を得ることができるという知見を得たのである。
したがって本実施の形態によれば、直径０．０６ｍｍ〜０．１４ｍｍの素線１２４を用いて給電用ケーブル１０１を形成したので、バンド３０１で束ねた状態を解いた給電用ケーブル１０１に折り曲げ跡が残るという現象を生じにくくすることができる。
【００２０】
また直径０．０６ｍｍ〜０．１４ｍｍ、とりわけ０．０６ｍｍ〜０．１２ｍｍの素線１２４を用いて給電用ケーブル１０１を形成した場合、素線１２４が断線しにくくなるという効果も享受することができる。
素線１２４は細いほど屈曲に対する強度が高まり、断線しにくくなるからである。
【００２１】
ところで前述した給電用ケーブル１０１に折り曲げ跡が残りにくいという効果も断線しにくいという効果も、素線１２４の直径が細くなればなるほど顕著となる。
では０．０６ｍｍを下限とせず、それ以上に細い導体を素線１２４として用いればよいのではないかという疑問が生ずることであろう。
一面においてこれは正しい。
つまり給電用ケーブル１０１に折り曲げ跡が残りにくいという効果及び断線しにくいという効果のみを考えた場合には、例えば０．０５ｍｍ以下の導体を素線１２４として用いれば、より顕著な効果を得ることができる。
ところが導体は０．０６ｍｍを越えて０．０５ｍｍになると、急激に価格が上昇する。一般的に、素線１２４として用いるような導体は、何万ｍもの長さで一度に製造することから、０．０５ｍｍ以上に細い導体となるとその製造上の難易度が急速に高まり、より精密な製造設備や製造管理などが要求されるからである。
したがってよほどの技術革新が起こらない限り、０．０５ｍｍの導体を素線１２４として用いた電線１２１を給電用ケーブル１０１や延長コードに使用したり、あるいは給電用ケーブル１０１にプラグ２２１を接続した電源コード１１の部分を照明器具や家電製品などの各種の電気電子機器用の電源コードとして使用したりするのは、価格の面から非現実的といわざるを得ない。
したがって本実施の形態が採用する素線１２４の直径０．０６ｍｍ〜０．１４ｍｍという数値は、給電用ケーブル１０１に対する折り曲げ跡の残りにくさ及び素線１２４の断線しにくさと、給電用ケーブル１０１の価格とを絶妙に調和させた数値として理解することができる。
【００２２】
第２の実施の形態を図４及び図５に基づいて説明する。
第１の実施の形態と同一部分は同一符号で示し、説明も省略する。
【００２３】
図４に示すように、本実施の形態は、ハウジング２１２の上面に、差込口２１３及び接続板２１４を五個用意したコンセント２１１を備えるテーブルタップ２０１である。
したがって第１の実施の形態のテーブルタップ２０１と比較し、コンセント２１１の長さが長くなっている。
またコンセント２１１は、個々の差込口２１３に隣接させて合計五個のスイッチ２１５を設けている。これらのスイッチ２１５は、プラグ２２１が差し込まれた給電側、例えば壁面に設置されたコンセント（図示せず）と、差込口２１３に差し込まれて接続板２１４に導通接続された電気電子機器との導通状態を断続する。つまり個々の接続板２１４に導通接続された電気電子機器に対して電力を供給するか否かを選択するための安全スイッチである。
【００２４】
図５に示すように、テーブルタップ２０１をパッケージングするに際しては、二本のバンド３０１で束ねた給電用ケーブル１０１をコンセント２１１の裏面に並べ、この状態でパッケージ（図示せず）に収納する。
第１の実施の形態のテーブルタップ２０１と比較してコンセント２１１の長さが長くなっていることから、折り曲げられて束ねられた状態の給電用ケーブル１０１の寸法も大きくなっている。
【００２５】
このようなテーブルタップ２０１も、第１の実施の形態のテーブルタップ２０１と同一の作用効果を奏する。
【００２６】
第３の実施の形態について説明する。
第１及び第２の実施の形態と同一部分は同一符号で示し、説明も省略する。
本実施の形態は、図示しないが、コンセント２１１の差込口を単一にし、延長コードとしたものである。
【００２７】
なお実施に際しては、各種の変更や変形が可能である。
例えば給電用ケーブル１０１を備える電源コード１１は、照明器具や家電製品などの各種の電気電子機器に利用してもよい。
また上記二つの実施の形態では、直径０．１２ｍｍの導体を素線１２４として用い、２３本の素線１２４を撚って撚り線１２５とし（Ｘ＝２３）、この撚り線１２５を７組撚って芯線１２２を製造した一例を示したが（Ｙ＝７）、これは一つの例示であり、素線１２４の本数、素線１２４を撚る本数Ｘ、及び撚り線１２５を撚る組数Ｙは、素線１２４の直径０．０６ｍｍ〜０．１４ｍｍの範囲内で、適宜最適な数値に変更が可能である。
【符号の説明】
【００２８】
１１・・・電源コード
１０１・・・給電用ケーブル
１１１・・・外装カバー
１２１・・・電線
１２２・・・芯線
１２３・・・絶縁体
１２４・・・素線
１２５・・・撚り線
２０１・・・テーブルタップ
２１１・・・コンセント
２２１・・・プラグ
【図１】
0003201968.tif 000003
【図２】
0003201968.tif 000004
【図３】
0003201968.tif 000005
【図４】
0003201968.tif 000006
【図５】
0003201968.tif 000007